(57)【要約】【課題】  構造をよりシンプルにして、誰にも容易に組立てることができて遊ぶことができる一方、簡潔な構造でも先に提案している紙製人形に勝るも劣らない豊かなリアリティを備えた紙製人形を提供すること。【解決手段】  胴部１１、首部１２及び脚部１３を備えた本体部材１０と、頭部材と、胸部材２０と、胸部材２０及び腕部材４０とを平坦な厚紙などの塑性変形板材を切り抜き、前記胸部材２０を、折り曲げて端部を接合することにより上下を開放した中空筒状に形成すると共に、前記本体部材１０を前記胸部材２０に差し込んでその首部を当該胸部材２０の上方へ突出させ、中空筒形に曲げ端部を接合して上下が開放された前記頭部材を前記首部に差し込む一方、前記胸部材２０の側面に、腕部材４０の上端部を旋回可能に支持させ、少なくとも腕部材４０と本体部材１０の脚部１３を適宜角度折り曲げて立体化できるようにしたこと。【選択図】図８
2008173346.tif 000002
【特許請求の範囲】
【請求項１】
胴部、首部及び脚部を備えた本体部材と、頭部材と、胸部材と、胸部材及び腕部材とを平坦な厚紙などの塑性変形板材を切り抜き、前記胸部材を、折り曲げて端部を接合することにより上下を開放した中空筒状に形成すると共に、前記本体部材を前記胸部材に差し込んでその首部を当該胸部材の上方へ突出させ、中空筒形に曲げ端部を接合して上下が開放された前記頭部材を前記首部に差し込む一方、前記胸部材の側面に、腕部材の上端部を旋回可能に支持させ、少なくとも腕部材と本体部材の脚部を適宜角度折り曲げて立体化できるようにしたことを特徴とする紙製人形。
【請求項２】
腕部材は、当該腕部材と胸部材とを貫通する軸状留め部材によって軸支し、胸部材に対し旋回可能にした請求項１に記載の紙製人形。
【請求項３】
本体部材の脚部は、その脚部下端から前方へ突出した足部を備え、該足部によって自立できるようにした請求項１又は２に記載の紙製人形。
【請求項４】
足部は、大半を平坦に形成した脚部の下端部を、その脚部に向かって三角筒状に曲げて形成するようにした請求項３に記載の紙製人形。
【請求項５】
足部は、短冊状の塑性変形板材を、左右が開放された短三角柱状に折り曲げて両端部を接合し、脚部の下端部前面に接合される独立部材からなる請求項３に記載の紙製人形。
【請求項６】
本体部材は、平面状に形成された左右の脚部を備えると共に、各脚部の下端付近に当該脚部と同面で足の形態に形成された足部を備え、少なくとも左右の脚部が平断面Ｖ字状に曲げられている請求項１又は請求項２に記載の紙製人形。
【請求項７】
本体部材は、平断面略Ｖ字状又は略三角形に形成された胴部を備え、該胴部が胸部材に差し込まれている請求項１〜６のいずれかの請求項に記載の紙製人形。
【請求項８】
胸部材は、上部左右側に、平坦な塑性変形部材を平面大略Ｕ字状に折り曲げて形成した肩部材を備え、この肩部材の内部に腕部材の上端を差し込み、当該腕部材と肩部材の底壁を一緒に胸部材の側面に軸支した請求項１〜請求項７のいずれかの請求項に記載の紙製人形。
【請求項９】
頭部材は、平坦な可塑変形材を切り抜いて形成した頭飾り部材を備えた請求項１〜請求項８のいずれかの請求項に記載の紙製人形。
【請求項１０】
塑性変形部材は、平板状の紙材である請求項１〜請求項９のいずれかの請求項に記載の紙製人形。
【発明の詳細な説明】
【技術分野】
【０００１】
本発明は、厚紙を代表とする塑性変形板材（以下、単に「厚紙」という）を折り曲げて形成したロボット形態をもつ紙製人形に関する。なお、本明細書において「厚紙」には、天然紙，合成紙などの紙は勿論、合成樹脂板や金属板などを含むものとする。
【背景技術】
【０００２】
厚紙を折り曲げて形成した複数のパーツを連結した紙製人形として、出願人は、胴部を筒状に形成して軸線を縦向きにして配置し、略Ｕ字形に形成した左右の肩関節部材を、胴部と肩関節部材の中壁部とを貫通する第１連結金具によって胴部に回動自在に連結し、筒状に形成された上腕部材の基端部を、肩関節部材の一対の側壁部間に狭持させて、側壁部と上腕部材とを貫通する第２連結金具によって該肩関節部材に回動自在に連結し、筒状に形成した大腿部材を、大腿部材と胴部の側面の当接部分で第３連結金具によって胴部に回動自在に連結した紙製人形を、先に提案した（特許文献１を参照）。
【０００３】
この紙製人形は、胴部、肩間接部材、大腿部材などの数多くある様々なパーツ郡を筒状などに曲げ、連結金具よって各パーツの所要部位（主として関接部）を互いに可動的に連結したことにより、リアルなイメージのロボット状などの人形を組立て形成することができ、又、複雑な動きも得られて、楽しく遊ぶことができる人形として斯界で注目されている。
【０００４】
しかしながら、先に提案した人形は、紙製人形としては構造が複雑であることに起因し組立てにかなりの習熟した技術を必要とする。組立てに困難性を伴うため、子供では簡単に組立てて遊ぶことがしにくく、また、この人形の製造にはかなりの手間を要するため、製造コストも高くなり易いという難点がある。
【特許文献１】特許第３６７１０４８号明細書
【発明の開示】
【発明が解決しようとする課題】
【０００５】
そこで、本発明は、構造をよりシンプルにして、誰にも容易に組立てることができて遊ぶことができる一方、簡潔な構造でも先に提案している紙製人形に勝るも劣らない豊かなリアリティを備えた紙製人形を提供することを、その課題とする。
【課題を解決するための手段】
【０００６】
上記課題を解決する目的でなされた本発明紙製人形の構成は、胴部、首部及び脚部を備えた本体部材と、頭部材と、胸部材と、胸部材及び腕部材とを平坦な厚紙などの塑性変形板材を切り抜き、前記胸部材を、折り曲げて端部を接合することにより上下を開放した中空筒状に形成すると共に、前記本体部材を前記胸部材に差し込んでその首部を当該胸部材の上方へ突出させ、中空筒形に曲げ端部を接合して上下が開放された前記頭部材を前記首部に差し込む一方、前記胸部材の側面に、腕部材の上端部を旋回可能に支持させ、少なくとも腕部材と本体部材の脚部を適宜角度折り曲げて立体化できるようにしたことを特徴とするものである。
【０００７】
先にも述べたが、本発明における塑性変形板材としては、天然紙又は合成紙の厚紙のほか、プラスチック板、不織布板、薄い金属板などを用いることができる。この点は以下の説明においても同様であり、本明細書においては、塑性変形板材を、以下では単に「厚紙」という。
【０００８】
本発明では、上記構成において、腕部材が当該部材と胸部材とを貫通する軸状留め部材によって旋回可能に軸支されている構成としても良い。留め部材としては、軽金属のパイプが好ましいが、木製、紙製、プラスチック製の軸や紐等々も採用することができる。
【０００９】
本発明では、上記構成において、本体部材の脚部が、本体部材から前方へ突出した足部を備え、該足部によって自立できる構成としてもよい。例えば、足部を、本体部材の脚部の大半を平坦に形成し、この脚部の下端側に形成した延長部を脚部に向かって横倒した三角筒状に曲げることで形成したり、或は、脚部下端部に独立した足部材を接合した構成にして、容易に床などにこの紙製人形を自立立脚できるようにすることができる。後付けの足部材としては、左右を開放された三角柱状に厚紙を折り曲げ、その端部同士を接合して形成し、これを本体部材における脚部の前面に接合した構成としてもよい。
【００１０】
本発明では、上記構成において、本体部材は、平面状に形成された左右の脚部を備えると共に、各脚部の下端付近に当該脚部と同面で足の形態に形成された足部を備え、少なくとも左右の脚部が平断面Ｖ字状に曲げて自立立脚させた構成としても良い。
【００１１】
本発明では、上記構成において、本体部材が平断面略三角形に形成された胴部を備え、この胴部が、胸部材に差し込まれた構成とすることにより、腕部材を旋回可能に支持するための部材の機械的強度を高めることができる。
【００１２】
本発明では、上記構成において、胸部材の上部左右側には、平坦な厚紙を平面大略Ｕ字状に折り曲げて形成した肩部材を備え、この肩部材の内部に腕部材の上端を差し込み、当該腕部材と肩部材の底壁とを一緒に胸部材の側面に軸支することにより、軸支部分の機械的強度を高めることができる。
【００１３】
本発明では、上記構成において、頭部材に、厚紙を切り抜いて形成した頭飾り部材を備えることにより、ロボットのほか、女性の形態などの使用目的に応じた形態の人形としてもよい。
【発明の効果】
【００１４】
本発明紙製人形は、胴部、首部及び脚部を備えた本体部材と、頭部材と、胸部材と、胸部材及び腕部材とを平坦な厚紙などの塑性変形板材を切り抜き、前記胸部材を、折り曲げて端部を接合することにより上下を開放した中空筒状に形成すると共に、前記本体部材を前記胸部材に差し込んでその首部を当該胸部材の上方へ突出させ、中空筒形に曲げ端部を接合して上下が開放された前記頭部材を前記首部に差し込む一方、前記胸部材の側面に、腕部材の上端部を旋回可能に支持させ、少なくとも腕部材と本体部材の脚部を適宜角度折り曲げて立体化できる構成としたので、構造がよりシンプルになって、誰でも容易に組立てて遊ぶことができる。また、構造が簡潔であるから低コストで製造でき、低価格で市場に提供することができる。更に、簡潔な構造であっても、リアルなイメージを備えたロボット形態の紙製人形を提供することができる。
【発明を実施するための最良の形態】
【００１５】
次に、図面を参照して、本発明紙製人形の実施の形態例を説明する。添付した図において、図１は本発明による紙製人形の実施形態の一例を示す斜視図、図２は図１の２−２線に沿う断面図、図３は図１に示す紙製人形を構成する各パーツの展開状態を示す説明図、図４は図１に示す紙製人形の組立状態を説明するための斜視図、図５は図１に示す紙製人形の他の組立状態を説明するための斜視図、図６本発明紙製人形における足部材の他の実施形態例を示す斜視図、図７は本発明紙製人形の実施形態の他例を示す斜視図、図８は図７の８−８線に沿う断面図、図９は図７に示す紙製人形の組立状態を説明するための斜視図である。
【００１６】
図１〜５に示すように、本発明紙製人形は、一例としてロボット形態を有するもので、本体部材１０、頭部材２０、胸部材３０及び左右の腕部材４０からなる。この紙製人形は、より望ましいロボット形態を与えるために、左右の肩部材５０と頭飾り部材６０を備える。上記の各部材１０,２０,３０,４０,５０,６０は、折り曲げ可能な厚紙で形成されている。
【００１７】
本体部材１０は、上部側に胴部１１、首部１２を、下部側に左右の脚部１３を一体に形成した平板状の部材からなっている。図１に例示するように左右の脚部１３の前面には、ロボットとしての装飾１４が印刷され、左右の脚部１３の両側縁には、外向き羽状の飾り１５が一体に形成されている。更に、これらの脚部１３の下端には、この紙製人形の足となる足部１６が一体に形成されている。足部１６は、下端を図４の脚部裏面に向かって横向き三角筒状に折り曲げ、この三角筒の背面壁１５ａを脚部１３の表面に接合することにより形成されている。
【００１８】
頭部材２０は、上下を開放した中空円筒状に形成され、外周面にロボットの顔２１が印刷されて、首部１２にその上方から差し込まれている。頭飾り部材６０は、頭部材２０の顔２１の上に貼着されている。この頭飾り部材６０は、頭部材２０乃至顔２１を強調するためのもので、一例として全体が動物の角状を呈するように形成されている。
【００１９】
一方、胸部材３０は、上下両端を開放した中空筒状のもの、ここでは、上下端を開放した前後幅が薄い平断面四角形状の筒状に形成されている。胸部材３０には、その略全面にわたって、本体部材１０の装飾１４や羽状飾り１５、又は頭部材２０の顔２１や頭飾り部材６０に合わせて、ロボットとしての適宜装飾３１が印刷されている。この胸部材２０は、本体部材１０の胴部１１の上部の胸部分１ａに外嵌されている。
【００２０】
左右の腕部材４０は、本体部材１０、頭部材２０及び胸部材３０に合わせた形状と装飾を備えて形成され、人形の前面になる表側には頭部材２０や胸部材３０に合わせた装飾４１が印刷された平板状の厚紙で形成されている。この腕部材４０は、図２に示すように、肩部材５０と一緒に、胸部材３０の側面に後述する軸状の留め部材７０により軸支されている。肩部材５０は、本体部材１０、頭部材２０及び胸部材３０に合わせて前後面５３を大略翼状をなす平面略Ｕ字状に形成され、かつ表面に色彩などを印刷して、上下が開放された正面から見てほぼ三角翼状の部材からなっている。
【００２１】
更に、左右の腕部材４０は、図２に示すように、上端部を下方に向かって逆Ｖ字状に折り曲げ、その折り曲げ部分４２に形成した保持孔４３と、肩部材５０の側面５１に形成した保持孔５２と胸部材３０の側面にある保持孔３２とを一致させ、留め部材７０によって胸部材３０の左右側面に連結されている。ここで、留め部材７０としては、例えば軽金属パイプを使用し、上記の各保持孔４３,５２,３２を貫通させている。これにより、腕部材４０及び肩部材５０は、留め部材７０を中心に前後に３６０度回転させることができる。なお、留め部材７０としては、軽金属のパイプの他、木製、紙製、プラスチック製の軸や紐を用いることができる他、特許第３６７１０４８号明細書に記載された連結金具などの他の部材を採用することもできる。
【００２２】
上記の各部材１０,２０,３０,４０,５０,６０は、図３に示すように、平坦な厚紙台紙ＢＰに印刷されている。従って、本発明人形の組立は、各部材１０,２０,３０,４０,５０,６０をハサミやカッターで切り抜き、適宜の案内線（図に表れず）に従って折り曲げることにより本発明紙製人形に造り上げられる。
【００２３】
図４は組立状態を説明するための分解斜視図である。胸部材３０は、台紙ＢＰから切り抜いた平板状のものを、四角筒を形成するように折り曲げたあと、両端を接合して形成されている。腕部材４０は、上端を逆Ｖ状に折り曲げたあと、折り曲げた部分を肩部材５０の内部に入れ、留め部材７０によって胸部材３０の側面に軸支される。この組立物が本体部材１０に胴部１１に差し込まれる。
【００２４】
頭部材２０は、台紙ＢＰから切り抜いた素材を円筒状に曲げて両端を接合し、外周面に頭飾り部材６０を接合したあと、本体部材１０の首部１２に差し込まれる。
【００２５】
頭部材２０に内径寸法は、本体部材１０における首部１２の幅寸法と同じか、僅かに大きく形成されているので、差し込んだあと、摩擦接触で位置を固定乃至保持することができ、頭部材２０を首部２０の上で旋回もさせることもできる。胸部材３０の横方向の内法寸法は、本体部材１０における胸部分１１ａの幅寸法と同じか、僅かに大きく形成されているので、摩擦接触で位置を固定乃至保持することができる一方、胸部材３０の内部で傾けたり前後にずらすことができるようになっている。
【００２６】
本発明によるロボット状の紙製人形は、本体部材１０の脚部１３を側面から見て浅いＶ状又は山形に折り曲げ、必要に応じて腕部材４０も同様に折り曲げて、より擬人化度の高い人形の立体化を図ることができる。この機能により、図５に示すように、腕部材４０と肩部材５０をその留め部材７０を中心に旋回させ、本体部材１０の脚部１３の大腿部関節及び膝関節に関係する部分を前後に折り曲げて、好みの姿態，ポーズにすることができる。
【００２７】
また、このロボット状の紙製人形は、足部１６が脚部１３の前面側に突出しているので、これを床側にして立てることで、自立させることができ、更に、腕部材４０及び肩部材５０を旋回させ、必要に応じて、上述のようにして脚部１３を前後に曲げることで、より安定に自立させることもできる。
【００２８】
本発明において、本体部材１０の脚部１３の下端に形成される足部１６は、本体部材１０の脚部１３から独立した部材として構成しても良い。図６は、そのような足部材８０を備える本発明によるロボット状の紙製人形の足部を示している。
【００２９】
足部材８０は、他部材１０,２０,３０,４０,５０,６０と同じ紙材を長い帯状に切り抜いたもので、側面を開放した直角三角柱状に折り曲げると共に、端部を接合することで組立てられている。その外側面には、他部１０,２０,３０,４０,５０,６０に合わせた色彩が印刷されている。
【００３０】
図６の足部材８０は、直角部を挟む二平面の片方を本体部材１０の脚部１３の下側縁に合わせて配置し、他方の側面を脚部１３に接合することによって本体部材１０の脚部１３の下端前面に固定される。左右の足部材８０をテーブル表面等の水平な平坦面に置くことで、安定して自立させることができる。この場合も、本体部材１０の脚部１３及び腕部材４０を断面Ｖ字形に折り曲げたり、図５のように前後に折り曲げると共に、留め部材７０を中心に腕部材４０を回転させることで、より安定した自立を可能にする。
【００３１】
図７は本発明による紙製人形の他の実施形態を示している。図１〜図６に関連して先に説明した紙製人形と同様のロボット状人形であるが、図７の人形では本体部材１１０の胴部１１１の平断面形状が異なっている。
【００３２】
すなわち、図７の紙製人形は、本体部材１１０、頭部材２０、胸部材３０、左右の腕部材４０、左右の肩部材５０及び頭飾り部材６０からなっており、これらの各部材１１０,２０,３０,４０,５０,６０は、図示しないがいずれも、先の例と同様に厚紙製の台紙を、前記各部材の輪郭線に沿って切り抜き、各部材（パーツ）を折り曲げることで形成される。
【００３３】
本体部材１１０は、胴部１１１、首部１１２を、下部側に左右の脚部１１３を一体に形成した平板状の部材からなる。そして、左右の脚部１１３の前面には、ロボットとしての装飾１１４が印刷され、左右の脚部１１３の両側縁には、長靴が延長した形の飾り１１５が一体に形成されている。
【００３４】
また、図７の本発明紙製人形においては、図８に示すように、本体部材１１０の胴部１１１が、平面Ｖ字状に形成されている。また、胴部１１１の胸部分１１１ａは、台紙から切り抜いた平面展開状態において横長四角形をなしているが、角度θを形成して折り目線１１７に沿って山形に折り曲げ、かつ両端を接合することによって、頂点が裏側（後側）を向いた平断面三角形に形成されている。首部１１２は、この胸部分１１１ａに連続して前記頂点を挟む二つの斜辺壁により形成されることによって、当該胸部分１１１ａと一体に形成されている。脚部１１３は、前記胸部分１１１ａの左右の斜辺壁を下方に向け延長して形成され、平面角が角度θに形成されている。脚部１１３の下端には、同面上に形成されて脚部１１３の外側に突出した左右の足部１１６が形成されており、また、この脚部１１３の各側縁には、長靴の一部としての飾り１１５が一体に形成され、そして、脚部１１３の腿に関係する領域には、装飾１１４が印刷されている。
【００３５】
図７の人形における他の部材２０,３０,４０,５０,６０は、図１〜図６に関連して説明した実施形態と同様に構成されている。
【００３６】
図９は図７の人形の組立状態を説明するための分解斜視図である。台紙から切り抜いた平板状の厚紙（素材）を折り曲げ、両端を接合することで形成された四角筒状の胸部材３０が、本体部材１１０の首部１１２を突出させて胸部分１１０ａに差し込まれると共に、同じく台紙から切り抜いた素材を円筒状に曲げて両端を接合し、外周面に頭飾り部材６０を接合した頭部材２０が前記首部１１２に差し込まれる。
【００３７】
左右の腕部材４０は、左右の肩部材５０と一緒に、胸部材３０の側面に留め部材７０により軸支されている。留め部材７０は、前の実施形態と同様に、軽金属のパイプからなっている。
【００３８】
図７〜図９に示した本発明紙製人形においても、胸部材３０の内法寸法は、本体部材１１０の三角柱状の胸部分１１０ａの厚み及び幅寸法に等しいか、僅かに小さく形成されている。このため、差し込むと、胸部材３０は、本体部材１１０の胸部分１１０ａの頂点によって幾分か弾性変形して、摩擦接触で本体部材１１０に固定乃至保持される。頭部材２０に内径寸法も、本体部材１０における首部１２の幅寸法と同じか、僅かに大きいので、摩擦接触で位置を固定乃至保持することができ、また、頭部材２０を首部２０の上で旋回させることができる。
【００３９】
そして、本体部材１１０、腕部材４０などを、例えば、長手方向と直角に山形に又は浅いＶ字形に曲げることで、好みの姿態にしたり、立体感をもたせて、よりリアルなイメージの姿勢やポーズを取らせることが可能なロボット状の紙製人形を形成することができる。
【００４０】
なお、図７〜図９の人形において、胸部材３０を本体部材１１０の胸部分１１１ａに差し込んだときに、胸部材３０が平断面三角に又は三角筒状に形成された本体部材１１０の胸部分１１０ａに嵌って、この紙製人形の胸に関係する部位の機械的強さを高めているので、厚紙からなるにもかかわらず、腕部材４０を繰り返して旋回しても、長期にわたって壊れない長寿命な軸受構造をとすることができる。
【００４１】
そして、脚部１３の先端に足部１１６が予め形成された人形を、その左右の足部１１６を床やテーブル面などに接地させて立たせるとき、脚部１１３と足部１１６が、胸部分１１０ａの斜辺壁の延長部として平面略Ｖ状に形成され平面Ｖ状に開いているので、前述の実施形態のように足部１６や足部材８０がなくても、この紙製人形は自立させることができる。必要に応じて、腕部材４０と肩部材５０をその留め部材７０を中心に旋回させ、本体部材１０の脚部１３の大腿部関節及び膝関節に関係する部分を前後に折り曲げることにより、安定した自立のためのバランスを細かく調整することもできる。
【産業上の利用可能性】
【００４２】
本発明紙製人形は、以上の通りであって、簡潔な構成でありながらリアリティに豊み、また、安価に製造することができるので、子供の玩具としてだけでなく、大人の趣味としても利用することができ、また、人形の形態も、実施形態のように特定形状のロボットの形態だけでなく、アニメーションで有名なロボットや登場人物に似せた形態や姿態を容易に実現できるので、使用する者の興趣をより高めることができる。
【図面の簡単な説明】
【００４３】
【図１】本発明紙製人形の実施形態の一例を示す斜視図。
【図２】図１の２−２線に沿う断面図。
【図３】図１に示す紙製人形を構成する各パーツの展開状態を示す説明図。
【図４】図１に示す紙製人形の組立状態を説明するための斜視図。
【図５】図１に示す紙製人形の他の組立状態を説明するための斜視図。
【図６】本発明紙製人形における足部材の他の実施形態例を示す斜視図。
【図７】本発明紙製人形の実施形態の他例を示す斜視図。
【図８】図７の８−８線に沿う断面図。
【図９】図７に示す紙製人形の組立状態を説明するための斜視図。
【符号の説明】
【００４４】
１０      本体部材
１１      胴部
１１ａ    胴部の胸部分
１２      首部
１３      脚部
１４      脚部の装飾
１５      脚部の飾り
１５ａ    脚部の背面壁
１６      足部
２０      胸部材
２１      顔
３０      胸部材
３１      胸部材の装飾
３２      胸部材の保持孔
４０      腕部材
４１      腕部材の装飾
４２      腕部材の折り曲げ部分
４３      腕部材の保持孔
５０      肩部材
５１      肩部材側面
５２      肩部材の保持孔
５３      肩部材の前後面
６０      頭飾り部材
７０      留め部材
８０      足部材
１１０      本体部材
１１１      胴部
１１１ａ    胴部の胸部分
１１２      首部
１１３      脚部
１１４      脚部の装飾
１１５      脚部の飾り
１１６      足部
１１７      本体部材の折り目線
ＢＰ      台紙
【図１】
2008173346.tif 000003
【図２】
2008173346.tif 000004
【図３】
2008173346.tif 000005
【図４】
2008173346.tif 000006
【図５】
2008173346.tif 000007
【図６】
2008173346.tif 000008
【図７】
2008173346.tif 000009
【図８】
2008173346.tif 000010
【図９】
2008173346.tif 000011